(57)【要約】【課題】スプリングをチップ本体内にスムーズに挿入でき、且つ、筆記時にロッド部をボールの後面の中心部に安定して当接させることができるボールペンを提供する。【解決手段】スプリング５が、ボール受け座３２のインキ流通孔３２ａに挿通され且つ前端がボール４後面に当接されるロッド部５１と、該ロッド部５１の後端に連設される弾発力を付与するコイル部５２と、を備える。コイル部５２の前端部の外面に前方に向かうに従い縮径するテーパ状外面５２ａが形成される。チップ本体３のボール受け座３２後方の内面に前方に向かうに従い縮径するテーパ状内面３４ａが形成される。コイル部５２のテーパ状外面５２ａがチップ本体３内のテーパ状内面３４ａにガイドされる。【選択図】  図２
2016124199.tif 000002
【特許請求の範囲】
【請求項１】
内向きの前端縁部とその後方に形成されたボール受け座との間で回転可能にボールを抱持する筒状のチップ本体と、該チップ本体内に配置され、前記ボールを前方に付勢し且つ前記ボールを前記前端縁部の内面に圧接するスプリングとを備え、前記ボール受け座にインキ流通孔が軸方向に貫設され、前記スプリングが、前記ボール受け座のインキ流通孔に挿通され且つ前端がボール後面に当接されるロッド部と、該ロッド部の後端に連設される弾発力を付与するコイル部とを備えたボールペンであって、
前記コイル部の前端部の外面に前方に向かうに従い縮径するテーパ状外面が形成され、
前記チップ本体のボール受け座後方の内面に前方に向かうに従い縮径するテーパ状内面が形成され、前記コイル部のテーパ状外面が前記チップ本体内のテーパ状内面にガイドされることを特徴とするボールペン。
【請求項２】
前記ロッド部の後端が前記テーパ状内面の前端より前方位置にあるか、または、前記ロッド部の後端が前記テーパ状内面の前端と略同じ位置にあることを特徴とする請求項１記載のボールペン。
【請求項３】
前記コイル部のテーパ状外面と前記チップ本体内面のテーパ状内面とが略一致する形状であることを特徴とする請求項１または２記載のボールペン。
【請求項４】
前記コイル部が、前端部のテーパ状外面と、該テーパ状外面の後方に連設される直円筒状外面とを備えることを特徴とする請求項１乃至３の何れかに記載のボールペン。
【請求項５】
前記コイル部の全体がテーパ状外面により形成されることを特徴とする請求項１乃至３の何れかに記載のボールペン。
【発明の詳細な説明】
【技術分野】
【０００１】
本発明は、ボールペンに関する。
【背景技術】
【０００２】
従来この種のボールペンにおいて、例えば、特許文献１には、ボールを先方に付勢するコイルスプリングが、ボール受け座の流動体誘導孔に挿通される密着巻きされた小径部分と、ホルダーの内孔内に位置してスプリング力を発生する中径作用部分と、ホルダーの内孔の内面に沿って案内される密着巻きされた大径部分とを備える構成が開示されている。
【先行技術文献】
【特許文献】
【０００３】
【特許文献１】特開平９−５２４８８号公報
【発明の概要】
【発明が解決しようとする課題】
【０００４】
前記特許文献１のボールペンは、スプリングの大径部分がホルダーの内孔のストレート状の内面に沿って案内されるため、大径部分の外面とホルダーの内孔の内面との隙間を小さくすると、スプリングをホルダー内孔に挿入する際、スプリングの大径部分が、ホルダーの内孔内面の途中で引っ掛かり、スプリングのスムーズな挿入性が得られないおそれがある。
また、前記特許文献１のボールペンにおいて、大径部分の外面とホルダーの内孔の内面との隙間を大きくすると、スプリングの大径部分とホルダー内孔内面との案内作用が損なわれ、筆記時、小径部分でボール後面の中心部を安定して押圧することができなくなり、その結果、その結果、ボールと前端縁部との確実な密接（シール性）が得られず、ペン先からのインキ漏出や、ペン先からの空気の混入が生じるおそれがある。
また、前記特許文献１のボールペンは、ボール受け座の流動体誘導孔に挿通される小径部分が密着巻きされて形成されるため、ボールの外径が小さくなるに従い、ボール受け座の流動体誘導孔の内径が小さくなり、スプリングの製造が困難となる。
【０００５】
本発明は、前記従来の問題点を解決するものであって、スプリングをチップ本体内にスムーズに挿入でき、且つ、筆記時にロッド部をボールの後面の中心部に安定して当接させることができるボールペンを提供しようとするものである。
【０００６】
尚、本発明において、「前」とはペン先側を指し、「後」とはその反対側を指す。
【課題を解決するための手段】
【０００７】
本願の第１の発明は、内向きの前端縁部３１とその後方に形成されたボール受け座３２との間で回転可能にボール４を抱持する筒状のチップ本体３と、該チップ本体３内に配置され、前記ボール４を前方に付勢し且つ前記ボール４を前記前端縁部３１の内面に圧接するスプリング５とを備え、前記ボール受け座３２にインキ流通孔３２ａが軸方向に貫設され、前記スプリング５が、前記ボール受け座３２のインキ流通孔３２ａに挿通され且つ前端がボール４後面に当接されるロッド部５１と、該ロッド部５１の後端に連設される弾発力を付与するコイル部５２とを備えたボールペンであって、前記コイル部５２の前端部の外面に前方に向かうに従い縮径するテーパ状外面５２ａが形成され、前記チップ本体３のボール受け座３２後方の内面に前方に向かうに従い縮径するテーパ状内面３４ａが形成され、前記コイル部５２のテーパ状外面５２ａが前記チップ本体３内のテーパ状内面３４ａにガイドされることを特徴とする。
【０００８】
前記第１の発明のボールペン１は、前記コイル部５２の前端部の外面に前方に向かうに従い縮径するテーパ状外面５２ａが形成され、前記チップ本体３のボール受け座３２後方の内面に前方に向かうに従い縮径するテーパ状内面３４ａが形成され、前記コイル部５２のテーパ状外面５２ａが前記チップ本体３内のテーパ状内面３４ａにガイドされることにより、スプリング５をチップ本体３内にスムーズに挿入でき、且つ、筆記時にロッド部５１をボール４の後面の中心部に安定して当接させることができる。前記テーパ状外面５２ａは、コイル部５２の前端部に、密着巻部または有効巻部により形成される。前記テーパ状外面５２ａとは、例えば、円錐面状外面、凸曲面状外面、凹曲面状外面が挙げられる。前記テーパ状内面３４ａとは、例えば、円錐面状内面、凸曲面状内面、凹曲面状内面が挙げられる。
【０００９】
本願の第２の発明は、前記第１の発明のボールペン１において、前記ロッド部５１の後端が前記テーパ状内面３４ａの前端より前方位置にあるか、または、前記ロッド部５１の後端が前記テーパ状内面３４ａの前端と略同じ位置にあることを特徴とする。
【００１０】
前記第２の発明のボールペン１は、前記ロッド部５１の後端が前記テーパ状内面３４ａの前端より前方位置にあるか、または、前記ロッド部５１の後端が前記テーパ状内面３４ａの前端と略同じ位置にあることにより、ロッド部５１の軸方向の長さが短くなり、ロッド部５１の径方向の撓みが抑えられ、ロッド部５１の前端とボール４の後面の中心部との当接状態を安定して維持できる。
【００１１】
本願の第３の発明は、前記第１または第２の発明のボールペン１において、前記コイル部５２のテーパ状外面５２ａと前記チップ本体３内面のテーパ状内面３４ａとが略一致する形状であることを特徴とする。
【００１２】
前記第３の発明のボールペン１は、前記コイル部５２のテーパ状外面５２ａと前記チップ本体３内面のテーパ状内面３４ａとが略一致する形状であることにより、コイル部５２のテーパ状外面５２ａがチップ本体３内面のテーパ状内面３４ａと安定してガイドされるため、より一層、チップ本体３内へのスプリング５のスムーズな挿入性が得られ、且つ、筆記時にロッド部５１をボール４の後面の中心部に安定して当接させることができる。前記コイル部５２のテーパ状外面５２ａと前記チップ本体３内面のテーパ状内面３４ａとが略一致する形状とは、例えば、テーパ状外面５２ａ及びテーパ状内面３４ａが円錐面の場合、テーパ状外面５２ａの傾斜角度とテーパ状内面３４ａの傾斜角度が略一致する構成、または、テーパ状外面５２ａ及びテーパ状内面３４ａが曲面（凸曲面または凹曲面）の場合、テーパ状外面５２ａの曲率とテーパ状内面３４ａの曲率が略一致する構成が挙げられる。
【００１３】
本願の第４の発明は、前記第１乃至第３の何れかの発明のボールペン１において、前記コイル部５２のテーパ状外面５２ａの後方に直円筒状外面５２ｂが形成されることを特徴とする。
【００１４】
前記第４の発明のボールペン１は、前記コイル部５２のテーパ状外面５２ａの後方に直円筒状外面が形成されることにより、コイル部５２の前端部にテーパ状外面５２ａを有するスプリング５を容易に得ることができる。
【００１５】
本願の第５の発明は、前記第１乃至第３の何れかの発明のボールペン１において、前記コイル部５２の全体がテーパ状外面５２ａにより形成されることを特徴とする。
【００１６】
前記第５の発明のボールペン１は、前記コイル部５２の全体がテーパ状外面５２ａにより形成されることにより、テーパ状内面３４ａの後方のチップ本体３内部のインキ流通性が向上する。
【発明の効果】
【００１７】
本発明のボールペンによれば、ロッドをボールの後面の中心部に安定して当接させることができ、且つ、スプリングをチップ本体内にスムーズに挿入できる。
【図面の簡単な説明】
【００１８】
【図１】本発明の第１の実施の形態の縦断面図である。
【図２】図１の要部拡大縦断面図である。
【図３】図２のＡ−Ａ線拡大断面図である
【図４】本発明の第２の実施の形態の縦断面図である。
【図５】図４の要部拡大縦断面図である。
【図６】図５のＢ−Ｂ線拡大断面図である
【発明を実施するための形態】
【００１９】
＜第１の実施の形態＞
図１乃至図３に本発明の第１の実施の形態を示す。図２の一点鎖線は、コイル部５２の省略部分を示す。
【００２０】
・ボールペン
本実施の形態のボールペン１は、前端部にボール４を回転可能に抱持したボールペンチップ２と、前記ボールペンチップ２の内部に収容配置されるスプリング５と、該ボールペンチップ２の後部がその前部の取付孔に圧入固着されたホルダー７と、該ホルダー７の後部がその前端開口部に圧入固着されたインキ収容筒８とを備える。
【００２１】
・ボールペンチップ
前記ボールペンチップ２は、チップ本体３とボール４とからなり、前記チップ本体３が前端にボール４を抱持する直円筒状の小径筒部３３と、該小径筒部３３より後方に連設され且つ後方に向かうに従い漸次拡径するテーパ筒部３４と、該テーパ筒部３４より後方に連設される直円筒状の大径筒部３５とからなる金属製筒体よりなる。前記金属製筒体は、例えば、ＳＵＳ３０４、ＳＵＳ３０５、ＳＵＳ３２１等のオーステナイト系ステンレス鋼により得られる。前記チップ本体３の小径筒部３３の前端近傍内面には、内方への押圧変形により、複数（例えば、４個）の内方突出部が周方向に等間隔に形成される。前記内方突出部によりボール受け座３２が形成される。また、チップ本体３の前端には、周状に内方に押圧変形されることにより、内向きの前端縁部３１が形成される。前記ボール受け座３２の前面と前記前端縁部３１の後面との間にはボール４が回転可能に抱持される。前記内方突出部の相互間には、中心部から径方向外方に延び且つ軸方向に貫通するインキ流通孔３２ａが形成される。即ち、前記ボール受け座３２には、前記インキ流通孔３２ａが形成される。前記ボールペンチップ２は、金属製チップ本体３の前端部にボール受け座３２を切削加工によって形成するタイプであってもよい。
【００２２】
・テーパ状内面
前記チップ本体３は、略均一肉厚に形成される。前記小径筒部３３の内面には、後方に向かうに従い漸次拡径するテーパ状内面３４ａ（または前方に向かうに従い漸次縮径するテーパ状内面３４ａ）が形成される。
【００２３】
・スプリング
前記スプリング５は、前部のロッド部５１と、後部のコイル部５２とが１本の金属線材（例えば、ステンレス鋼製線材）により一体に連設される。
【００２４】
・ロッド部
前記ロッド部５１は、軸方向に直線状に伸び、前記ボール受け座３２のインキ流通孔３２ａに挿通される。前記ロッド部５１の前端がボール４後面の中心部に当接され、前記ロッド部５１によって、直接、前記ボール４が前方に付勢され、それにより、前記ボール４が前記前端縁部３１の内周面に密接される。
【００２５】
・コイル部
前記コイル部５２は、線材が螺旋状に巻回されて形成される。前記コイル部５２の前端部には、前方に向かうに従い縮径するテーパ状外面５２ａが密着巻部により形成される。前記テーパ状外面５２ａより後方のコイル部５２には、直円筒状外面５２ｂが有効巻部により形成される。即ち、前記コイル部５２は、前端部のテーパ状外面５２ａと、該テーパ状外面５２ａより後方に一体に連設される直円筒状外面５２ｂとからなる。前記テーパ状外面５２ａの前端と前記ロッド部５１の後端が一体に連設される。前記テーパ状外面５２ａは、線材同志が密着する密着巻部により形成されているが、これ以外にも、線材間に隙間を備えた有効巻部により形成してもよい。
【００２６】
・ホルダー
前記ホルダー７は合成樹脂（例えば、ポリプロピレン）の射出成形によって得られる筒状体である。前記ホルダー７は、ボールペンチップ２が取り付けられる先細状の前部と、インキ収容筒８の先端面に当接する鍔部と、インキ収容筒８の前端開口部に圧入される後部とからなる。前記ホルダー７の前端部の取付孔にチップ本体３が圧入固着され、取付孔内面の後端に段部が突設され、前記段部にチップ本体３の後端が係止されるとともに、前記段部にスプリング５の後端（コイル部５２の後端）が係止される。
【００２７】
・インキ収容筒
前記インキ収容筒８は、合成樹脂（例えば、ポリプロピレン）の押出成形により得られる、両端が開口された円筒体である。前記インキ収容筒８の内部には、インキ８１と、該インキ８１の消費に伴って前進する高粘度流体からなる追従体８２が充填される。前記インキ収容筒８の後端開口部に尾栓８３が圧入固着される。前記尾栓８３は、インキ収容筒８内と外気とを連通可能にする通気孔を有する
【００２８】
本実施の形態のボールペン１は、前記コイル部５２の前端部の外面に前方に向かうに従い縮径するテーパ状外面５２ａが形成され、前記チップ本体３のボール受け座３２後方の内面に前方に向かうに従い縮径するテーパ状内面３４ａが形成され、スプリング挿入組立時及び筆記時、前記コイル部５２のテーパ状外面５２ａが前記チップ本体３内のテーパ状内面３４ａにガイドされる。それにより、スプリング５をチップ本体３内にスムーズに挿入でき、且つ、筆記時にロッド部５１をボール４の後面の中心部に安定して当接させることができる。
【００２９】
本実施の形態のボールペン１は、前記ロッド部５１の後端が前記テーパ状内面３４ａの前端より前方位置にあるか、または、前記ロッド部５１の後端が前記テーパ状内面３４ａの前端と略同じ位置にある。それにより、ロッド部５１の軸方向の長さが短くなり、ロッド部５１の径方向の撓みが抑えられ、ロッド部５１の前端とボール４の後面の中心部との当接状態を安定して維持できる。
【００３０】
本実施の形態のボールペン１は、前記コイル部５２のテーパ状外面５２ａと前記チップ本体３内面のテーパ状内面３４ａとが略一致する形状である。例えば、前記テーパ状外面５２ａ及びテーパ状内面３４ａが円錐面の場合、テーパ状外面５２ａの傾斜角度とテーパ状内面３４ａの傾斜角度が略一致する構成、または、テーパ状外面５２ａ及びテーパ状内面３４ａが曲面（凸曲面または凹曲面）の場合、テーパ状外面５２ａの曲率とテーパ状内面３４ａの曲率が略一致する構成である。それにより、コイル部５２のテーパ状外面５２ａがチップ本体３内面のテーパ状内面３４ａと安定してガイドされるため、より一層、チップ本体３内へのスプリング５のスムーズな挿入性が得られ、且つ、筆記時にロッド部５１をボール４の後面の中心部に安定して当接させることができる。
【００３１】
本実施の形態のボールペン１は、前記コイル部５２のテーパ状外面５２ａの後方に直円筒状外面５２ｂが形成されることにより、コイル部５２の前端部にテーパ状外面５２ａを有するスプリング５を容易に得ることができる。
【００３２】
＜第２の実施の形態＞
図４乃至図６に本発明の第２の実施の形態を示す。図５の一点鎖線は、コイル部５２の省略部分を示す。
【００３３】
・ボールペン
本実施の形態のボールペン１は、前端部にボール４を回転可能に抱持したボールペンチップ２と、前記ボールペンチップ２の内部に収容配置されるスプリング５と、該ボールペンチップ２の後部がその前部の取付孔に圧入固着されたホルダー７と、該ホルダー７の後部がその前端開口部に圧入固着されたインキ収容筒８とを備える。
【００３４】
・ボールペンチップ
前記ボールペンチップ２は、チップ本体３とボール４とからなり、前記チップ本体３が前端にボール４を抱持する直円筒状の小径筒部３３と、該小径筒部３３より後方に連設され且つ後方に向かうに従い漸次拡径するテーパ筒部３４と、該テーパ筒部３４より後方に連設される直円筒状の大径筒部３５とからなる金属製筒体よりなる。前記金属製筒体は、例えば、ＳＵＳ３０４、ＳＵＳ３０５、ＳＵＳ３２１等のオーステナイト系ステンレス鋼により得られる。前記チップ本体３の小径筒部３３の前端近傍内面には、内方への押圧変形により、複数（例えば、４個）の内方突出部が周方向に等間隔に形成される。前記内方突出部によりボール受け座３２が形成される。また、チップ本体３の前端には、周状に内方に押圧変形されることにより、内向きの前端縁部３１が形成される。前記ボール受け座３２の前面と前記前端縁部３１の後面との間にはボール４が回転可能に抱持される。前記内方突出部の相互間には、中心部から径方向外方に延び且つ軸方向に貫通するインキ流通孔３２ａが形成される。即ち、前記ボール受け座３２には、前記インキ流通孔３２ａが形成される。前記ボールペンチップ２は、金属製チップ本体３の前端部にボール受け座３２を切削加工によって形成するタイプであってもよい。
【００３５】
・テーパ状内面
前記チップ本体３は、略均一肉厚に形成される。前記小径筒部３３の内面には、後方に向かうに従い漸次拡径するテーパ状内面３４ａ（または前方に向かうに従い漸次縮径するテーパ状内面３４ａ）が形成される。
【００３６】
・スプリング
前記スプリング５は、前部のロッド部５１と、後部のコイル部５２とが１本の金属線材（例えば、ステンレス鋼製線材）により一体に連設される。
【００３７】
・ロッド部
前記ロッド部５１は、軸方向に直線状に伸び、前記ボール受け座３２のインキ流通孔３２ａに挿通される。前記ロッド部５１の前端がボール４後面の中心部に当接され、前記ロッド部５１によって、直接、前記ボール４が前方に付勢され、それにより、前記ボール４が前記前端縁部３１の内周面に密接される。
【００３８】
・コイル部
前記コイル部５２は、線材が螺旋状に巻回されて形成される。前記コイル部５２の全体が、前方に向かうに従い縮径するテーパ状外面５２ａにより形成される。前記テーパ状外面５２ａよりなるコイル部５２は、有効巻部により形成される。前記テーパ状外面５２ａは、線材間に隙間を備えた有効巻部により形成されているが、一部が線材同志の密着する密着巻部により形成されていてもよい。
【００３９】
・スプリングの取付
前記チップ本体３の小径筒部３３の内面には、径方向内方への押圧変形により係止突起３４ｂが形成される。前記係止突起３４ｂにスプリング５のコイル部５２の後端が抜け止め係止される。それにより、前記コイル部５２のテーパ状外面５２ａと、前記チップ本体３の小径筒部３３のテーパ状内面３４ａとが略接触した状態となる。前記係止突起３４ｂは、例えば、周状に分散配置された複数の突起からなる構成、または環状突起からなる構成の何れであってもよい。
【００４０】
・ホルダー
前記ホルダー７は合成樹脂（例えば、ポリプロピレン）の射出成形によって得られる筒状体である。前記ホルダー７は、ボールペンチップ２が取り付けられる先細状の前部と、インキ収容筒８の先端面に当接する鍔部と、インキ収容筒８の前端開口部に圧入される後部とからなる。前記ホルダー７の前端部の取付孔にチップ本体３が圧入固着され、取付孔内面の後端に段部が突設され、前記段部にチップ本体３の後端が係止される。
【００４１】
・インキ収容筒
前記インキ収容筒８は、合成樹脂（例えば、ポリプロピレン）の押出成形により得られる、両端が開口された円筒体である。前記インキ収容筒８の内部には、インキ８１と、該インキ８１の消費に伴って前進する高粘度流体からなる追従体８２が充填される。前記インキ収容筒８の後端開口部に尾栓８３が圧入固着される。前記尾栓８３は、インキ収容筒８内と外気とを連通可能にする通気孔を有する。
【００４２】
本実施の形態のボールペン１は、前記コイル部５２の前端部の外面に前方に向かうに従い縮径するテーパ状外面５２ａが形成され、前記チップ本体３のボール受け座３２後方の内面に前方に向かうに従い縮径するテーパ状内面３４ａが形成され、スプリング挿入組立時及び筆記時、前記コイル部５１のテーパ状外面５２ａが前記チップ本体３内のテーパ状内面３４ａにガイドされる。それにより、スプリング５をチップ本体３内にスムーズに挿入でき、且つ、筆記時にロッド部５１をボール４の後面の中心部に安定して当接させることができる。
【００４３】
本実施の形態のボールペン１は、前記ロッド部５１の後端が前記テーパ状内面３４ａの前端より前方位置にあるか、または、前記ロッド部５１の後端が前記テーパ状内面３４ａの前端と略同じ位置にある。それにより、ロッド部５１の軸方向の長さが短くなり、ロッド部５１の径方向の撓みが抑えられ、ロッド部５１の前端とボール４の後面の中心部とを当接状態を安定して維持できる。
【００４４】
本実施の形態のボールペン１は、前記コイル部５２のテーパ状外面５２ａと前記チップ本体３内面のテーパ状内面３４ａとが略一致する形状である。例えば、前記テーパ状外面５２ａ及びテーパ状内面３４ａが円錐面の場合、テーパ状外面５２ａの傾斜角度とテーパ状内面３４ａの傾斜角度が略一致する構成、または、テーパ状外面５２ａ及びテーパ状内面３４ａが曲面（凸曲面または凹曲面）の場合、テーパ状外面５２ａの曲率とテーパ状内面３４ａの曲率が略一致する構成である。それにより、コイル部５２のテーパ状外面５２ａがチップ本体３内面のテーパ状内面３４ａと安定してガイドされるため、より一層、チップ本体３内へのスプリング５のスムーズな挿入性が得られ、且つ、筆記時にロッド部５１をボール４の後面の中心部に安定して当接させることができる。
【００４５】
本実施の形態のボールペン１は、前記コイル部５２の全体がテーパ状外面５２ａにより形成されることにより、テーパ状内面３４ａの後方のチップ本体３内部のインキ流通性が向上する。
【００４６】
また、本実施の形態のボールペン１は、前記コイル部５２が前方に向かうに従い縮径するテーパ状に形成され、前記チップ本体３のボール受け座３２後方の内面に前方に向かうに従い縮径するテーパ状内面３４ａが形成され、前記テーパ状内面３４ａに係止突起３４ｂが形成され、前記コイル部５２が前記チップ本体内のテーパ状内面３４ａ内に収容され、前記係止突起３４ｂに前記コイル部５２の後端が抜け止め係止される。それにより、ボール受け座３２後方のインキ流通路のインキ流通性が阻害されず、ロッド部５１の前端をボール４の後面の中心部に安定して当接させることができる。
【符号の説明】
【００４７】
１  ボールペン
２  ボールペンチップ  
３  チップ本体
３１  前端縁部
３２  ボール受け座
３２ａ  インキ流通孔
３３  小径筒部
３４  テーパ筒部
３４ａ  テーパ状内面
３４ｂ  係止突起
３５  大径筒部
４  ボール
５  スプリング
５１  ロッド部
５２  コイル部
５２ａ  テーパ状外面
５２ｂ  直円筒状外面
７  ホルダー
８  インキ収容筒
８１  インキ
８２  追従体
８３  尾栓
【図１】
2016124199.tif 000003
【図２】
2016124199.tif 000004
【図３】
2016124199.tif 000005
【図４】
2016124199.tif 000006
【図５】
2016124199.tif 000007
【図６】
2016124199.tif 000008